(57)【要約】【課題】電波の弱い場所や不安定な場所に容易に設置でき、かつ安定よく受信でき、しかも再送信アンテナから受信アンテナへの回り込みを軽減し得るギャップフィラー用受信再送信共用アンテナを提供する。【解決手段】家屋Ｈの屋根に起立された取付ポール３２に水平方向となるように受信アンテナ１１を取り付け、この受信アンテナ１１に対し垂直下方向を向くように再送信アンテナ１３を取付ポール３２に取り付け、かつ取付ポール３２上に増幅器１２を取り付けて、受信アンテナ１１と再送信アンテナ１３との相対位置関係が一定となる一体型の共用アンテナを構成するようにした。【選択図】    図３
2005072646.tif 000002
【特許請求の範囲】
【請求項１】
地上デジタル放送波を受信する受信アンテナ部と、
この受信アンテナ部で得られた受信信号と同一周波数の再送信号を任意の方向に向けて再送信する再送信アンテナ部と、
前記受信アンテナ部で得られた受信信号の信号レベルを所定レベルまで増幅して前記再送信号を生成し、前記再送信アンテナに出力する増幅部とを具備し、
前記受信アンテナ部と前記再送信アンテナ部との相対位置関係が一定で、かつ前記再送信アンテナ部から前記受信アンテナ部への回り込み伝達特性が一定の状態となるように、前記受信アンテナ部、前記再送信アンテナ部及び前記増幅部を配置し一体化してなることを特徴とするギャップフィラー用受信再送信共用アンテナ。
【請求項２】
前記増幅部の出力の一部を分岐信号として抽出する信号抽出部と、
想定される回り込みによる信号レベルに応じて調整すべく信号レベルが設定され、前記信号抽出部により得られる分岐信号のレベルを、設定された信号レベルに合わせて調整する調整部と、
前記回り込みの遅延時間に応じて遅延時間が設定され、前記調整部の出力を遅延する遅延部と、
前記回り込みの逆位相相当の移相量が設定され、前記遅延部の出力を移相する移相部と、
この移相部の出力と前記受信アンテナ部で得られる受信信号とを合成することで回り込みによる不要波成分を抑制する不要波抑制部とをさらに備えたことを特徴とする請求項１記載のギャップフィラー用受信再送信共用アンテナ。
【請求項３】
前記受信アンテナ部の指向方向を水平方向に向けるとともに、前記再送信アンテナ部の指向方向を垂直下方向に向け、かつ前記地上デジタル放送波を受信するための偏波面と前記再送信波を放射するための偏波面とを互いに直交させるように前記受信アンテナ部及び前記再送信アンテナ部を配置するようにしたことを特徴とする請求項１記載のギャップフィラー用受信再送信共用アンテナ。
【請求項４】
前記受信アンテナ部の指向方向を水平方向に向けるとともに、前記再送信アンテナ部の指向方向を前記受信アンテナ部とは逆方向に向け、かつ前記地上デジタル放送波を受信するための偏波面と前記再送信波を放射するための偏波面とを互いに直交させるように前記受信アンテナ部及び前記再送信アンテナ部を配置するようにしたことを特徴とする請求項１記載のギャップフィラー用受信再送信共用アンテナ。
【請求項５】
前記受信アンテナ部に対し前記地上デジタル放送波の受信方向に単一指向性を持たせるように、前記受信アンテナの指向方向と反対の方向からの電波を阻止するための第１の反射器と、
前記再送信アンテナ部に対し単一の指向性を持たせるように、前記再送信アンテナ部から放射された再送信波を指向方向に反射させる第２の反射器とをさらに備えることを特徴とする請求項３または４記載のギャップフィラー用受信再送信共用アンテナ。
【請求項６】
地上デジタル放送波を受信する受信アンテナ部と、
この受信アンテナ部の指向方向に対し直角方向の指向性を有し、前記受信アンテナ部で得られた受信信号と同一周波数の再送信号を再送信する第１の再送信アンテナ部と、
この第１の再送信アンテナ部に対し逆方向の指向性を有し、前記受信アンテナ部で得られた受信信号と同一周波数の再送信号を再送信する第２の再送信アンテナ部と、
前記受信アンテナ部で得られた受信信号の信号レベルを所定レベルまで増幅して前記再送信号を生成し、前記第１及び第２の再送信アンテナ部に出力する増幅部とを具備し、
前記受信アンテナ部と前記第１及び第２の再送信アンテナ部との相対位置関係が一定で、かつ前記再送信アンテナ部から前記受信アンテナ部への回り込み伝達特性が一定の状態となるように、前記受信アンテナ部、前記第１及び第２の再送信アンテナ部及び前記増幅部を配置し一体化してなることを特徴とするギャップフィラー用受信再送信共用アンテナ。
【請求項７】
地上デジタル放送波を受信する受信アンテナ部と、
この受信アンテナ部で得られた受信信号と同一周波数の再送信号を任意の方向に向けて再送信する第１の再送信アンテナ部と、
前記受信アンテナ部で得られた受信信号の信号レベルを所定レベル増幅して前記再送信号を生成する増幅部と、
前記増幅部で得られる前記再送信号を前記第１の再送信アンテナ部に供給する供給線路と、
前記増幅部で得られる前記再送信号を前記第１の供給線路より１８０°移相する移相器と、
この移相器により移相された再送信号を再送信する第２の再送信アンテナ部とを具備し、
前記第１及び第２の再送信アンテナ部による合成パターンが前記受信アンテナ部の指向方向で最小となるように、前記受信アンテナ部、前記第１及び第２の再送信アンテナ部及び前記増幅部を配置し一体化してなることを特徴とするギャップフィラー用受信再送信共用アンテナ。
【請求項８】
地上デジタル放送波を受信する受信アンテナ部と、
この受信アンテナ部で得られた受信信号と同一周波数の再送信号を任意の方向に向けて再送信する再送信アンテナ部と、
前記受信アンテナ部で得られた受信信号の信号レベルを所定レベル増幅して前記再送信号を生成し、前記再送信アンテナに出力する増幅部とを具備し、
前記受信アンテナ部、前記再送信アンテナ部及び前記増幅部を、絶縁性材料から成る１つの筐体に収容し、かつ前記受信アンテナ部及び前記再送信アンテナ部が前記筐体より外側で互いに逆方向を向くように配置されてなることを特徴とするギャップフィラー用受信再送信共用アンテナ。
【発明の詳細な説明】
【０００１】
【発明の属する技術分野】
この発明は、例えば屋内または電波の弱い領域へ地上デジタル放送波を中継するために用いられるギャップフィラー用受信再送信共用アンテナに関する。
【０００２】
【従来の技術】
次世代のデジタル放送システムとして、現在の地上波によるテレビジョン帯域を利用した地上デジタル放送の開発が進められている。この地上デジタル放送システムでは、放送サービスエリアの拡大及び難視聴地域の解消、室内やビル影等による電波の弱い場所の解消を目的として、ギャップフィラー対策の実施が検討されている。
このギャップフィラー対策では、放送波が届かないエリアごとにギャップフィラーと呼ばれる中継装置を設置するようにしている（例えば特許文献１及び特許文献２）。
【０００３】
【特許文献１】
特開２００２−１０１０３２公報
【０００４】
【特許文献２】
特開２００３−７８４９２公報。
【０００５】
【発明が解決しようとする課題】
しかしながら、上記ギャップフィラーでは、受信信号と再送信信号が同一周波数であるため再送信アンテナからの放射電波が受信アンテナに回り込むことにより、発振現象を起こす危険性があった。また、受信アンテナと再送信アンテナが別々にあったため取扱い組立が困難な場合があり、取付状況により発振現象等不安定なシステムとなる状況があった。
この発明の目的は、ギャップフィラー装置を取りつける場合、受信アンテナと再送信アンテナの取りつけ条件により、回りこみ状態が変化し発振現象等が生じ不安定なシステムとなる状況を軽減し得るギャップフィラー用受信再送信アンテナを提供することにある。また、受信アンテナと再送信アンテナを一体化する場合、回りこみ成分そのものを軽減し得るギャップフィラー用受信再送信アンテナを提供することにある。
【０００６】
【課題を解決するための手段】
この発明は、上記目的を達成するために、以下のように構成される。
（１）地上デジタル放送波を受信する受信アンテナ部と、この受信アンテナ部で得られた受信信号と同一周波数の再送信号を任意の方向に向けて再送信する再送信アンテナ部と、受信アンテナ部で得られた受信信号の信号レベルを所定レベル増幅して再送信号を生成し、再送信アンテナ部に出力する増幅部とを具備し、受信アンテナ部と再送信アンテナ部との相対位置関係が一定で、かつ再送信アンテナ部から受信アンテナ部への回り込み伝達特性が一定の状態となるように、受信アンテナ部、再送信アンテナ部及び増幅部を配置し一体化してなることを特徴とする。
（１）の発明によれば、受信アンテナ部、再送信アンテナ部及び増幅部を一体化することにより、再送信アンテナ部から受信アンテナ部への回り込み伝達特性を安定した状態に保持することができ、受信アンテナと再送信アンテナの取り付け条件により、回りこみ状態が変化し発振現象等が生じ不安定なシステムとなる状況を軽減し得る。更に取り付け場所の特性などに合せたアンテナ自体の組み立てや特性を合せるための調整工数の削減を図ることができる。
【０００７】
（２）増幅部の出力の一部を分岐信号として抽出する信号抽出部と、想定される回り込みによる信号レベルに応じて調整すべく信号レベルが設定され、信号抽出部により得られる分岐信号のレベルを、設定された信号レベルに合わせて調整する調整部と、回り込みの遅延時間に応じて遅延時間が設定され、調整部の出力を遅延する遅延部と、回り込みの逆位相相当の移相量が設定され、遅延部の出力を移相する移相部と、この移相部の出力と受信アンテナ部で得られる受信信号とを合成することで回り込みによる不要波成分を抑制する不要波抑制部とをさらに備えたことを特徴とする。
（２）の発明によれば、回り込みキャンセラーを設けることで、再送信アンテナ部から受信アンテナ部への回り込み成分を打ち消すことが可能となる。更に、受信アンテナと再送信アンテナの取り付け条件により、回りこみ状態が変化し発振現象等が生じ不安定なシステムとなる状況を軽減し得るため、工場出荷時にあらかじめ回りこみキャンセラーの特性を併せることが可能なため取りつけ場所の特性に合わせた調整工数の削減を図ることができる。
【０００８】
（３）受信アンテナ部の指向方向を水平方向に向けるとともに、再送信アンテナ部の指向方向を垂直下方向に向け、かつ地上デジタル放送波を受信するための偏波面と再送信波を放射するための偏波面とを互いに直交させるように受信アンテナ部及び再送信アンテナ部を配置するようにしたことを特徴とする。
【０００９】
（３）の発明によれば、再送信アンテナ部から受信アンテナ部への不要波成分の回り込み量をさらに減らすことができ、これにより簡易な回り込みキャンセラーを用いて回り込み量を打ち消すようにすることが可能となる。また、高い位置の受信アンテナ部で受信した信号を増幅部にて増幅し、下向きの再送信アンテナ部で下側に再送信することで、通常電波の弱い屋内や公園などの電界強度を高めることができ、これにより簡易な屋内用受信アンテナや移動受信機で容易に受信できるようになる。
【００１０】
（４）受信アンテナ部の指向方向を水平方向に向けるとともに、再送信アンテナ部の指向方向を受信アンテナ部とは逆方向に向け、かつ地上デジタル放送波を受信するための偏波面と再送信波を放射するための偏波面とを互いに直交させるように受信アンテナ部及び再送信アンテナ部を配置するようにしたことを特徴とする。
（４）の発明によれば、上記（３）の発明と同様の作用効果が得られるとともに、地上デジタル放送波を複数の中継所にて多段中継する場合に、最終受信場所から見える位置に設置することにより、電波が建物、壁等の障害物があっても、受信不可能な状況を大幅に改善できる。
【００１１】
（５）受信アンテナ部に対し地上デジタル放送波の受信方向に単一指向性を持たせるように、受信アンテナの指向方向と反対の方向からの電波を阻止するための第１の反射器と、再送信アンテナ部に対し単一の指向性を持たせるように、再送信アンテナ部から放射された再送信波を指向方向に反射させる第２の反射器とをさらに備えることを特徴とする。
【００１２】
（５）の発明によれば、第１の反射器により受信アンテナの指向特性を単一指向特性とし、地上デジタル放送波方向以外の方向からの電波を阻止することができ、第２の反射器により再送信アンテナ部の指向方向を単一の方向に向かせることができ、これにより指向性が改善されるとともに、再送信アンテナ部から受信アンテナ部へ回り込む信号のレベルを抑制することができる。
【００１３】
（６）地上デジタル放送波を受信する受信アンテナ部と、この受信アンテナ部の指向方向に対し直角方向の指向性を有し、受信アンテナ部で得られた受信信号と同一周波数の再送信号を再送信する第１の再送信アンテナ部と、この第１の再送信アンテナ部に対し逆方向の指向性を有し、受信アンテナ部で得られた受信信号と同一周波数の再送信号を再送信する第２の再送信アンテナ部と、受信アンテナ部で得られた受信信号の信号レベルを所定レベル増幅して再送信号を生成し、第１及び第２の再送信アンテナ部に出力する増幅部とを具備し、受信アンテナ部と第１及び第２の再送信アンテナ部との相対位置関係が一定で、かつ再送信アンテナ部から受信アンテナ部への回り込み伝達特性が一定の状態となるように、受信アンテナ部、第１及び第２の再送信アンテナ部及び増幅部を配置し一体化してなることを特徴とする。
（６）の発明によれば、上記（１）の発明と同様の作用効果が得られるとともに、ビル、家屋等の障害物により遮られ、直接の地上デジタル放送波の受信が困難な場合に、放送受信機に対し異なる方向からの再送信波を受信させることにより、安定な放送サービスを提供できる。
【００１４】
（７）地上デジタル放送波を受信する受信アンテナ部と、この受信アンテナ部で得られた受信信号と同一周波数の再送信号を任意の方向に向けて再送信する第１の再送信アンテナ部と、受信アンテナ部で得られた受信信号の信号レベルを所定レベル増幅して再送信号を生成する増幅部と、増幅部で得られる再送信号を第１の再送信アンテナ部に供給する供給線路と、増幅部で得られる再送信号を第１の供給線路より１８０°移相する移相器と、この移相器により移相された再送信号を再送信する第２の再送信アンテナ部とを具備し、第１及び第２の再送信アンテナ部による合成パターンが受信アンテナ部の指向方向で最小となるように、受信アンテナ部、第１及び第２の再送信アンテナ部及び増幅部を配置し一体化してなることを特徴とする。
【００１５】
（７）の発明によれば、第１及び第２の再送信アンテナ部へ供給する再送信号が受信アンテナ部のポイントで逆位相となるように、移相器にて第２の再送信アンテナ部へ供給する再送信号を１８０°移相させることにより、受信アンテナへの回り込み量をいっそう減少させることが可能となり、さらに、受信アンテナ方向の利得が大幅に抑えられる。
【００１６】
（８）地上デジタル放送波を受信する受信アンテナ部と、この受信アンテナ部で得られた受信信号と同一周波数の再送信号を任意の方向に向けて再送信する再送信アンテナ部と、受信アンテナ部で得られた受信信号の信号レベルを所定レベル増幅して再送信号を生成し、再送信アンテナ部に出力する増幅部とを具備し、受信アンテナ部、再送信アンテナ部及び増幅部を、絶縁性材料から成る１つの筐体に収容し、かつ受信アンテナ部及び再送信アンテナ部が筐体より外側で互いに逆方向を向くように配置されてなることを特徴とする。
（８）の発明によれば、上記（１）の発明と同様の作用効果が得られるとともに、アンテナ自体の小型軽量化を図ることができ、これにより送信所方向の窓際やベランダに設置することが容易となり、簡単に室内受信を実現できる。
【００１７】
【発明の実施の形態】
以下、この発明の実施形態について図面を参照して詳細に説明する。
図１は、この発明に係るギャップフィラー用受信再送信共用アンテナの回路構成を示すブロック図である。
図１において、送信所から到来する地上デジタル放送波は、受信アンテナ１１によって受信され、その受信信号が増幅器１２に供給される。増幅器１３は、入力された受信信号を所定の振幅レベルまで増幅し、この増幅した信号を再送信号として再送信アンテナ１３に出力する。すると、再送信アンテナ１３は、入力された再送信号を再送信波として放射する。
【００１８】
受信用アンテナ１１と再送信アンテナ１３は、機構的に一体で構成され、これにより再送信アンテナ１３から受信アンテナ１１への回り込み特性を安定な状態とし、後述の付加装置２１（回り込みキャンセラー）を既定の状態に設定することにより回り込みが所定のレベル以下に減少させたアンテナシステムを実現できる。
【００１９】
図２は、付加装置２１を介在させた構成を示すブロック図である。
すなわち、増幅器１２から出力される再送信号の一部が分岐信号として分岐回路２２により抽出され、この分岐信号が付加装置２１に供給される。付加装置２１には、調整レベルが再送信アンテナ１３から受信アンテナ１１に回り込む信号レベルに設定された振幅調整回路２３と、回り込みの遅延時間相当の遅延時間が設定された遅延回路２４と、位相量が回り込み波と逆位相相当に設定された位相回路２５とが備えられている。
【００２０】
付加装置２１に入力された分岐信号は、振幅調整回路２３でその信号レベルが回り込み信号レベルに調整され、遅延回路２４で遅延された後、位相回路２５で移相されて合成器２６にて受信アンテナ１１で得られた受信信号と合成されることになる。
このため、再送信アンテナ１３から受信アンテナ１１への回り込み信号は、付加装置２１からの信号と打ち消し合うことになり、これによりシステムが発振する危険性を防止することが可能となり安定したシステムを実現可能となる。
【００２１】
前記のように再送信信号の一部を帰還して回り込み成分を打ち消す装置は一般に回り込みキャンセラーとして提案されている。このような回り込みキャンセラーは未知の回り込み特性に対応可能なように設計されているが、信号処理が複雑なため回路構成が大きく高価になる。
【００２２】
そこで、本発明では、前記のように受信アンテナ１１と再送信アンテナ１３を一体化することにより、回り込み伝播特性が一定となるため、図２に示すような付加装置２１と合成器２６および分岐回路２２で構成される簡易な回り込みキャンセラーでもって回り込み成分を所定のレベル以下に減少させることが可能となる。
なお、簡易型キャンセラーで安定な動作を実現するためには、送受信アンテナ間の結合が小さい方が簡易型回り込みキャンセラーの設定許容誤差を大きく取れることになり、再送信号のレベルによっては回りこみキャンセラーを不要とすることもでき、安定な性能実現のためには有利である。
以下、受信アンテナ１１と再送信アンテナ１３の回り込み結合を小さくして簡易型回り込みキャンセラーのみで安定な動作が可能な受信再送信一体型アンテナシステムを実施形態を引用しながら説明する。
【００２３】
（第１の実施形態）
図３は、ギャップフィラー用受信再送信共用アンテナの第１の実施形態の概略構成を示す図である。
図３において、受信アンテナ１１をコーナーリフレクタ３１付き八木式受信アンテナで構成したもので、家屋Ｈの屋根に起立された取付ポール３２に水平方向となるように取り付けられている。また、この取付ポール３２には、水平方向に反射器ネット３３が取り付けられている。さらに、取付ポール３２には、指向方向を下向きにした再送信アンテナ１３が配置されている。
【００２４】
反射器ネット３３は、再送信アンテナ１３から放射された再送信波を反射して、該再送信アンテナ１３に対し下向きの指向性を持たせると共に再送信アンテナ１３から受信アンテナ１１に回り込む信号レベルを抑制する機能をも兼ねているものである。また、取付ポール３２には、増幅器１２が取り付けられる。
【００２５】
このように一体化することにより、回り込み量や遅延時間、位相が固定的となり発信防止用の付加装置の位相、遅延、振幅レベルを設計レベルで設定することが可能となり、取り付ける際に、ユーザの手操作による調整が不要となるためアンテナの組立が簡単となり安定したＳＦＮシステムを実現できる。これにより、通常電波の弱い屋内や公園などの電界強度を高めることができ、簡単な室内アンテナや移動受信機で容易に受信可能となる。
【００２６】
さらに、図４に示すように、受信アンテナ１１の偏波面と再送信アンテナ１３の偏波面を直交させることにより、受信アンテナ１１と再送信アンテナ１３の指向方向を直交させ、かつ反射器ネット３３による減衰も加えて受信アンテナ１１への回り込み量を減少させることができる。
【００２７】
（第２の実施形態）
図５は、ギャップフィラー用受信再送信共用アンテナの第２の実施形態の概略構成を示す図である。なお、図５において、上記図３と同一部分には同一符号を付して詳細な説明を省略する。
すなわち、この第２の実施形態では、受信アンテナ１１及び再送信アンテナ１３を互いに指向方向が逆方向となるように配置するとともに、受信アンテナ１１の後方に大型のコーナーリフレクタ４１を設け、また再送信アンテナ１３の後方に大型のコーナーリフレクタ４２を設けるようにしている。これら２つのコーナーリフレクタ４１，４２により回り込みによる発振を防止することがいっそう容易となる。
【００２８】
以上のように上記第２の実施形態によれば、地上デジタル放送波を複数の中継所にて多段中継する場合に、最終受信場所から見える位置に設置することにより、電波が建物、壁等の障害物があっても、受信不可能な状況を大幅に改善できる。
また、この第２の実施形態では、コーナーリフレクタ４１，４２と同様な効果を得るため、垂直状のネットで１枚に共用することも可能となる。
また、この第２の実施形態では、前記第１の実施形態と同様に受信アンテナ１１及び再送信アンテナ１３それぞれの偏波面を直交させることにより、さらに再送信アンテナ１３から受信アンテナ１１への回り込みを減少させることができる。
【００２９】
（第３の実施形態）
図６は、ギャップフィラー用受信再送信共用アンテナの第３の実施形態の概略構成を示す図である。なお、図６において、上記図３と同一部分には同一符号を付して詳細な説明を省略する。
すなわち、増幅器１２から出力される再送信号は、分配器５１で分配される。その分配された一方の信号は給電線路５２を介して再送信アンテナ５３に供給され、他方の信号は１８０°位相器５４で１８０°移相された後、再送信アンテナ５５に供給される。
【００３０】
このため、各再送信アンテナ５３，５５へそれぞれ供給する再送信号が受信アンテナ１１のポイントで逆位相となるように１８０°位相器５４にて位相調整されることにより、受信アンテナ１１への回り込みを大幅に減少させることが可能となる。また、受信アンテナ１１の指向方向の利得が大幅に抑えられる。
【００３１】
（第４の実施形態）
図７は、ギャップフィラー用受信再送信共用アンテナの第４の実施形態の概略構成を示す図である。なお、図７において、上記図３と同一部分には同一符号を付して詳細な説明を省略する。
すなわち、この第４の実施形態では、受信アンテナ１１の指向方向に対し直角方向の指向性を有し、かつ受信アンテナ１１で得られた受信信号と同一周波数の再送信号を再送信する再送信アンテナ６１と、この再送信アンテナ６１に対し逆方向の指向性を有し、受信アンテナ１１で得られた受信信号と同一周波数の再送信号を再送信する再送信アンテナ６２とを配置するようにしている。すると、図８に示すような受信および送信指向特性を得ることができる。
【００３２】
このような第４の実施形態であれば、例えば図９に示すように最終受信点７１，７２がビル、家屋等の妨害物７３，７４により遮られ、直接放送波の受信が困難な場合に異なる方向からの再送信波を受信することにより、安定な放送サービスの提供が可能となる。
なお、第４の実施形態において、受信アンテナ１１と各再送信アンテナ６１，６２それぞれの偏波面を直交させるようにしてもよく、また再送信アンテナ６１，６２に逆相給電するようにして回り込み量の大幅な減少を図ることも可能である。
【００３３】
（第５の実施形態）
図１０は、ギャップフィラー用受信再送信共用アンテナの第５の実施形態の概略構成を示す図である。
図１０において、符号８０は平面型共用アンテナで、樹脂ケース８１に、平面アンテナとして用いられる受信用平面アンテナ８２及び再送信用平面アンテナ８３を収容している。なお、これら受信用平面アンテナ８２及び再送信用平面アンテナ８３は、互いに樹脂ケース８１より外側で逆方向を向くように配置されている。また、受信用平面アンテナ８２と再送信用平面アンテナ８３との間には、増幅器８４が配置される。
【００３４】
受信用平面アンテナ８２は、パッチ素子８２ａと反射板８２ｂで構成され、極めて単向性の強いアンテナ特性を実現できる。再送信用平面アンテナ８３も受信用平面アンテナ８２と同様に、パッチ素子８３ａと反射板８３ｂで構成され、極めて単向性の強いアンテナ特性を実現できる。このようにすることで、受信用平面アンテナ８２と再送信用平面アンテナ８３との結合を小さくすると共に、受信用平面アンテナ８２と再送信用平面アンテナ８３それぞれのパッチ素子８２ａ，８３ａへの給電点を変えて受信アンテナ偏波面と再送信アンテナ偏波面を直交させることで、再送信平面アンテナ８３から受信平面アンテナ８２への回り込みが小さくかつ安定な平面型共用アンテナ８０を構成することができる。
【００３５】
このように第５の実施形態であれば、図１１に示す如くベランダ９１への設置や、図１２に示す如く窓ガラス９２の設置が容易となり、これにより室内での室内受信アンテナ１００を利用した受信やポータブルテレビジョン受信機１０１での受信が可能となる。
また、この第５の実施形態によれば、受信用平面アンテナ８２と、再送信用平面アンテナ８３と、増幅器８４とを１つの樹脂ケース８１に収納することが容易となるので、平面型共用アンテナ８０全体を薄く構成することが容易である。このため、送信所方向の窓際やベランダにこの平面型共用アンテナ８０を設置することが容易であり簡単に室内受信を実現できる。
【００３６】
（その他の実施形態）
この発明は、上記各実施形態に限定されるものではない。
上記第１乃至第４の実施形態では、受信アンテナおよび再送信アンテナに八木式アンテナを用いる例について説明したが、これに限ることなく、それぞれのアンテナ全て又は一部を別の形式の指向性アンテナを用いることも可能である。
その他、受信アンテナの種類、増幅器の種類、再送信アンテナの種類、受信アンテナ及び再送信アンテナの配置位置関係等についても、この発明の要旨を逸脱しない範囲で種々変形して実施できる。
【００３７】
【発明の効果】
以上詳述したようにこの発明によれば、電波の弱い場所や不安定な場所に容易に設置でき、かつ安定よく受信でき、しかも再送信アンテナから受信アンテナへの回り込みを軽減し得るギャップフィラー用受信再送信共用アンテナを提供することができる。
【図面の簡単な説明】
【図１】この発明に係るギャップフィラー用受信再送信共用アンテナの回路構成を示すブロック図。
【図２】回り込みキャンセラーを介在させたギャップフィラー用受信再送信共用アンテナの回路構成を示すブロック図。
【図３】この発明に係るギャップフィラー用受信再送信共用アンテナの第１の実施形態の概略構成を示す図。
【図４】同第１の実施形態において、受信アンテナの偏波面と再送信アンテナの偏波面を直交させた様子を示す図。
【図５】この発明に係るギャップフィラー用受信再送信共用アンテナの第２の実施形態の概略構成を示す図。
【図６】この発明に係るギャップフィラー用受信再送信共用アンテナの第３の実施形態の概略構成を示す図。
【図７】この発明に係るギャップフィラー用受信再送信共用アンテナの第４の実施形態の概略構成を示す図。
【図８】同第４の実施形態における受信および送信指向特性を示す図。
【図９】同第４の実施形態における再送信波の受信方法を示す図。
【図１０】この発明に係るギャップフィラー用受信再送信共用アンテナの第５の実施形態の概略構成を示す図。
【図１１】同第５の実施形態がベランダに設置される様子を示す図。
【図１２】同第５の実施形態が窓ガラスに設置される様子を示す図。
【符号の説明】
１１…受信アンテナ、１２…増幅器、１３…再送信アンテナ、２１…付加装置、２２…分岐回路、２３…振幅調整回路、２４…遅延回路、２５…位相回路、２６…合成器、３１…コーナーリフレクタ、３２…取付ポール、３３…反射器ネット、４１，４２…コーナーリフレクタ、５１…分配器、５２…給電線路、５３，５５…再送信アンテナ，５４…位相器、６１，６２…再送信アンテナ、７１，７２…最終受信点、７３，７４…妨害物、８０…平面型共用アンテナ、８１…樹脂ケース、８２…受信用平面アンテナ、８２ａ…パッチ素子、８２ｂ…反射板、８３…再送信用平面アンテナ、８３ａ…パッチ素子、８３ｂ…反射板、８４…増幅器、９１…ベランダ、９２…窓ガラス、１００…室内受信アンテナ、１０１…ポータブルテレビジョン受信機、Ｈ…家屋。
【図１】
2005072646.tif 000003
【図２】
2005072646.tif 000004
【図３】
2005072646.tif 000005
【図４】
2005072646.tif 000006
【図５】
2005072646.tif 000007
【図６】
2005072646.tif 000008
【図７】
2005072646.tif 000009
【図８】
2005072646.tif 000010
【図９】
2005072646.tif 000011
【図１０】
2005072646.tif 000012
【図１１】
2005072646.tif 000013
【図１２】
2005072646.tif 000014